(57)【特許請求の範囲】
【請求項１】
所定の情報が記録された記録媒体からの所定の信号を伝達するものであって、メッシュ状導体を有する第１導電体層と、該第１導電体層と略平行に配設される第２導電体層と、前記第１導電体層と前記第２導電体層との間に配設される誘電体層とを有し、前記第１導電体層と前記第２導電体層の間の誘電体層において、電磁波を介して所定の信号を伝達する薄板状の電磁波伝達シートと、
該電磁波伝達シートの端部に取り付けられ、前記電磁波伝達シートとの間で前記電磁波の送受波を行うインターフェース装置と、
該インターフェース装置に電気的に接続され、該インターフェース装置から送られてきた前記所定の信号を読み取る信号読取装置と、
前記インターフェース装置と前記信号読取装置を収容し、前記電磁波伝達シートの端部に一体的に設けられている収容ボックスとを備えてなることを特徴とする通信装置。
【請求項２】
前記インターフェース装置は、前記電磁波シートの第１導電体層と対向する第１電極部と、前記第２導電体層と対向する第２電極部と、前記第１電極部と前記第２電極部とで前記電磁波伝達シートの端部を挟み保持するように前記第１電極部と前記第２電極部とを係止する係止部とを備える請求項１に記載の通信装置。
【請求項３】
前記収容ボックスは、底部に配設されるベース部材と、ベース部材の上方を覆う態様で配設される第１カバー部材と、該第１カバー部材の上方に略平行に配設される固定部材と、該固定部材を覆う態様で配設される第２カバー部材とを備え、
前記ベース部材の上面に前記インターフェース装置が設けられるとともに、前記固定部材の上面または下面に信号読取装置が設けられ、インターフェース装置と信号読取装置がケーブルを介して電気的に接続されている請求項１または請求項２に記載の通信装置。
【請求項４】
前記ベース部材と前記第１カバー部材は前記電磁波伝達シートの端部を挟み保持して固定する請求項１から請求項３のいずれかに記載の通信装置。
【請求項５】
前記信号読取装置にＵＳＢ端子が電気的に接続され、該ＵＳＢ端子が収容ボックスの外面に露出状態に設けられている請求項１から請求項４のいずれかに記載の通信装置。
【請求項６】
前記電磁波伝達シートの両側端部に、前記インターフェース装置および前記信号読取装置が収容された収容ボックスが一体的に設けられている請求項１から請求項５のいずれかに記載の通信装置。
【請求項７】
前記記録媒体は、近距離の無線通信によるＲＦタグを使用することにより、前記電磁波伝達シートとの間で信号を送受信する請求項１から請求項６のいずれかに記載の通信装置。
【発明の詳細な説明】
【技術分野】
【０００１】
本発明は、信号を伝達する通信装置に関し、特に電磁波伝達シート内にて電磁波を介して所定の信号を伝達する通信装置に関する。
【背景技術】
【０００２】
従来、対向する導電体層とその間の誘電体層からなる電磁波伝達シート内に電磁場を存在させ、導電体層の間の電圧を変化させて当該電磁場を変化させたり、当該電磁場の変化によって導電体層の間の電圧を変化させて、電磁波を進行させることで、信号を伝達する通信装置が開発されている（特許文献１参照）。また、下記非特許文献１において、二次元通信の原理が紹介されている。
【０００３】
そして、この通信装置では、例えば電磁波伝達シート上に載置された物品のコードに関する信号をシート間で伝達させ、その信号を別体の信号読取装置により読み取るようになっている。これにより、例えば電磁波伝達シート上に物品を載置すると、その物品に関する信号を読み取ることにより、別に設けられたパソコンにてモニタ上に当該物品に関する情報を表示することができる。
【先行技術文献】
【特許文献】
【０００４】
【特許文献１】特開２００７−８２１７８号公報
【非特許文献】
【０００５】
【非特許文献１】篠田裕之、「素材表面に形成する高速センサネットワーク」、計測と制御、２００７年２月号、第４６巻、第２号、P98-103
【発明の概要】
【発明が解決しようとする課題】
【０００６】
しかしながら、上述の通信装置では、電磁波伝達シートと、信号読取装置、インターフェース装置などの各種装置とが別体となっていた。このため従来の通信装置は可搬性に乏しく、また設置の都度、電磁波伝達シートと信号読取装置のケーブル配線を行わなくてならず煩雑であるという問題があった。また、電磁波伝達シートと信号読取装置の間も必要以上に隙間が生じて設置スペースが大きくなるという問題もあった。さらに、電磁波伝達シートと信号読取装置との間にケーブル配線が露出している状態は外観上の美観も損なうという問題もあった。
【０００７】
本発明は、上述の問題に鑑みてなされてものであって、電磁波伝達シートと、信号読取装置、インターフェース装置などの各種装置とを一体的に構成することができる通信装置の提供を目的とする。
【課題を解決するための手段】
【０００８】
本発明は、上記目的を達成するために、所定の情報が記録された記録媒体からの所定の信号を伝達するものであって、メッシュ状導体を有する第１導電体層と、該第１導電体層と略平行に配設される第２導電体層と、前記第１導電体層と前記第２導電体層との間に配設される誘電体層とを有し、前記第１導電体層と前記第２導電体層の間の誘電体層において、電磁波を介して所定の信号を伝達する薄板状の電磁波伝達シートと、該電磁波伝達シートの端部に取り付けられ、前記電磁波伝達シートとの間で前記電磁波の送受波を行うインターフェース装置と、該インターフェース装置に電気的に接続され、該インターフェース装置から送られてきた前記所定の信号を読み取る信号読取装置と、前記インターフェース装置と前記信号読取装置を収容し、前記電磁波伝達シートの端部に一体的に設けられている収容ボックスとを備えてなることを特徴とする。これによれば電磁波伝達シートと、信号読取装置、インターフェース装置などの各種装置とを一体的に構成することができる。
【０００９】
また、前記インターフェース装置は、前記電磁波シートの第１導電体層と対向する第１電極部と、前記第２導電体層と対向する第２電極部と、前記第１電極部と前記第２電極部とで前記電磁波伝達シートの端部を挟み保持するように前記第１電極部と前記第２電極部とを係止する係止部とを備えるのが好ましい。これによれば電磁波伝達シートと一体的に構成しやすくなり、しかも電磁波の送受波も確実となり通信の信頼性が向上する。
また、前記収容ボックスは、底部に配設されるベース部材と、ベース部材の上方を覆う態様で配設される第１カバー部材と、該第１カバー部材の上方に略平行に配設される固定部材と、該固定部材を覆う態様で配設される第２カバー部材とを備え、前記ベース部材の上面に前記インターフェース装置が設けられるとともに、前記固定部材の上面または下面に信号読取装置が設けられ、インターフェース装置と信号読取装置がケーブルを介して電気的に接続されているのが好ましい。これによれば、各部材が上下に層状の簡易な構成となるため、各部材をより一層コンパクトに構成することができるともに、容易に製造することができる。
【００１０】
また、前記ベース部材と前記第１カバー部材は前記電磁波伝達シートの端部を挟み保持して固定するのが好ましい。これによれば、電磁波伝達シートと収容ボックスをより確実に固定することができる。
【００１１】
また、前記信号読取装置にＵＳＢ端子が電気的に接続され、該ＵＳＢ端子が収容ボックスの外面に露出状態に設けられているのが好ましい。これによればパソコン等の他の装置とＵＳＢ接続を簡単に行うことができ便利である。
【００１２】
また、前記電磁波伝達シートの両側端部に、前記インターフェース装置および前記信号読取装置が収容された収容ボックスが一体的に設けられていてもよい。これによれば通信装置の両側に他の装置を接続したり、あるいは複数の本通信装置をＵＳＢケーブル等を介して直列的に接続することができる。
【００１３】
また、前記記録媒体は、近距離の無線通信によるＲＦタグを使用することにより、前記電磁波伝達シートとの間で信号を送受信するのが好ましい。これによれば、電磁波伝達シートは所定の距離範範囲内に位置する記録媒体から確実に所定の信号を読み取ることができる。
【発明の効果】
【００１４】
本発明によれば、電磁波伝達シートと、信号読取装置、インターフェース装置などの各種装置とを一体的に構成することができる。このため通信装置を一体的に運ぶことができ、通信装置の可搬性が向上する。また、通信装置の設置に際してもケーブルの配線を行う必要がなく利用者の作業効率が向上する。また、電磁波伝達シートと信号読取装置間の隙間も軽減され省スペース化も実現できる。さらにまたケーブル配線も収容ボックスで隠れた状態となるため外観上の美観性も向上する。したがって、本通信装置を棚、テーブル、壁など様々な箇所に設置し易くなり、効率的な商品管理、薬品管理あるいは書籍管理など各種管理に資することが可能となる。
【図面の簡単な説明】
【００１５】
【図１】本実施形態に係る電磁波伝達シートの（ａ）平面図と（ｂ）断面図である。
【図２】本通信装置の斜視図である。
【図３】本通信装置の収容ボックスの平面図である。
【図４】本通信装置の収容ボックスの側面図である。
【図５】本通信装置の収容ボックスの背面図である。
【図６】本通信装置の収容ボックスのＢ−Ｂ線断面図である。
【図７】本通信装置の下側の分解斜視図である。
【図８】本通信装置の上側の分解斜視図である。
【図９】本通信装置のインターフェース装置の構成を示す模式図である。
【図１０】他の実施形態に係る本通信装置の平面図である。
【発明を実施するための形態】
【００１６】
次に本発明の一実施形態について図面を参照しつつ説明する。
【００１７】
なお、以下では、説明を容易にするため、電磁波の伝達に用いる周波数帯において導電体であるものを「導電体」と呼び、当該周波数帯において誘電体であるものを「誘電体」と呼ぶ。したがって、例えば直流電流に対して導体であるか半導体であるか等によって、何ら制約されるものではない。また、誘電体と導電対とは、電磁波との関係において特性により定義されるものであって、固体であるか液体であるか気体であるか等の態様を制約するものではない。
【００１８】
図１は、本実施形態に係る電磁波伝達シート（以下、シートという）の概要構成を示す説明図である。図１（ａ）は、シート１００の平面図を示し、図１（ｂ）は、シート１００のＡ−Ａ’断面図を示す。
【００１９】
図１（ｂ）に示すように、シート１００は、メッシュ状の第１導電体１１０と、これに略平行な平板状の第２導電体１２０とを備えており、典型的にはいわゆる通信シートと称される二次元シートである。第１導電体１１０は、第２導電体１２０に対して、図１においては上方に設けられている。図１（ａ）において、第１導電体１１０は、略正方形のメッシュ状に構成される。
【００２０】
また、第１導電体１１０と第２導電体１２０との間に、誘電体層として空気を介在させた場合には、第１導電体１１０の略正方形の開口から第２導電体１２０が透けて見える。しかし、第１導電体１１０と第２導電体１２０との間に、不透明な誘電体層を介在させた場合には、第１導電体１１０の開口から第２導電体１２０は見えない。ここで、不透明な誘電体層として、例えば柔軟性のある樹脂板等を用いてもよい。
【００２１】
また、誘電体層としては、例えば発泡部材のように、ある程度の強度と柔軟性と軽量性と美観とを兼ね備えた部材を用いることが好ましい。また、メッシュの繰り返し単位（メッシュ周期）は、隣合う正方形開口の中心同士の距離に等しい。
【００２２】
図１（ｂ）において、第１導電体１１０と第２導電体１２０の間に、誘電体としての狭間領域１３０が設けられ、第１導電体１１０の上方に電磁波が侵出する侵出領域１４０が設けられる。狭間領域１３０および侵出領域１４０はいずれも空気であってもよいが、いずれが一方もしくは両方もしくはそれらの一部分を他の誘電体としてもよく、例えば液体や土としたり真空としたりしてもよい。
【００２３】
また、例えば、侵出領域１４０を保護シートや保護フィルムで被覆することにより、実用に耐えうる強度と、耐久性及び美観とを具備するシート１００とできる。また、侵出領域１４０と同様に、第２導電体１２０の裏面側、すなわち第２導電体１２０の狭間領域１３０の反対側の面も、保護シートや保護フィルムで被覆することにより、実用に耐えうる強度と、耐久性及び美観とを具備するシート１００とできる。
【００２４】
また、狭間領域１３０において定在波が生じるのを防止するために、伝搬される電磁波の特定の周波数帯において誘電損失や抵抗損失が大きな材料を、狭間領域１３０に配設したり充填したりしてもよい。典型的には、いわゆる終端処理としてシート１００の端部や辺縁部等において上述の処理を施すことができる。
【００２５】
このような終端処理により、定在波が低減されるだけでなく、現実には有限の広さを有するシート１００であっても、あたかも無限の広さに展開されているかのように、理論的な取り扱いをすることも可能となる。
【００２６】
第１導電体１１０と第２導電体１２０とは、いずれも二次元的であってシート状に構成される。シート状とは、帯状、布状、紙状、箔状、板状、膜状、フィルム状、メッシュ状など、面としての広がりを持ち、厚さが薄いものを意味する。
【００２７】
また、導電性インクや導電性ゴムを利用し、必要に応じて任意の模様や絵を描きながら、これらを塗装したり吹き付けたりすることによって、第１導電体１１０や第２導電体１２０を構成することができる。またこの場合に、必要に応じて任意の位置からシート１００内に電磁波を注入し叉は電磁波を取り出す為に、シート１００の任意の位置に、適宜くり抜き状をスルーホースや辺縁部、端部等を形成しておいてもよい。
【００２８】
ここで、シート１００において、第１導電体１１０と第２導電体１２０とに挟まれる狭間領域１３０の間を伝搬する電磁波モードに注目する。かりに第１導電体１１０がメッシュ状ではなく、開口がない構造であった場合には、電磁波は狭間領域１３０に閉じ込められる。
【００２９】
一方、典型的にはこの実施形態で例示するように、第１導電体１１０はメッシュ状の構造をとり、開口をもつ。このような形状では、一定の高さまで、電磁場が染み出すようになる。この電磁場が染み出す領域が、図１に侵出領域１４０として概念的に示す領域である。この高さは、メッシュの周期とシートの誘電体とによって決まる。
【００３０】
また、メッシュの繰返しの単位寸法（メッシュ周期）は、狭間領域１３０における電磁波長λより十分に短い周期とすることが好ましい。ここで、メッシュの繰り返しの単位寸法とは、典型的にはいわゆるメッシュのマス目を構成する一辺の長さとメッシュ状導体の太さとを加算した値に相当する寸法である。
【００３１】
また、メッシュの繰返しの単位寸法（メッシュ周期）は、典型的には電磁波長λに対して、λ／５以下、λ／１０〜λ／１００、λ／１００〜λ／１０００などの周期を利用できるが、シート１００の適用分野に応じて、適宜サイズは調整可能である。また、現実の素材を組み合わせて実験を行い、所望の電磁波の強度が得られるように、侵出領域１４０の高さを設定してもよい。
【００３２】
また、本通信装置に接続される通信機器としては、外部の通信装置、各種の通信素子、通信回路、センサ、ＲＦタグ、アクチュエータなどが考えられる。例えば、ＲＦタグの場合、物品の底面などにＲＦタグを貼り付けておいて、当該物品をシート上に載置すると、ＲＦタグの情報を読み取って通信することができる。
【００３３】
なお、ＲＦタグは、所定の情報が記録され、電磁界や電波などを用いた近距離の無線通信によってシートとの間で所定の信号（所定の情報が含まれる）を送受信するものである。主に記録媒体の表面又は裏面にＲＦタグが展設される場合が多い。シート１００との間で送受信された所定の信号はシート１００内を電磁波を介して伝達されたあと、後述の信号読取装置４００により読み取られる。
【００３４】
また、一方の本通信装置にはその他の通信機器を有線結合、直結接合もしくは近接結合により接続し、他方の本通信装置にもその他の通信機器を有線結合もしくは近接結合により接続する。そして、２つの本通信装置の各シート１００の侵出領域１４０を重ねれば、一方の本通信装置や通信機器と、他方の本通信装置や通信機器との間で、電磁波を介して信号を伝達することが可能となる。
【００３５】
また、上述するようにシート１００は、電磁波の信号を伝達する機能を有して構成されているが、電力を供給及び／又は伝達する電力供給システムとして構成し、無線給電装置としてもよい。
【００３６】
また、シート１００は、端部に方形のスルーホール１５０とを備えている。方形のスルーホール１５０は、シート１００を典型的にはくり抜いたように形成されており、第１導電体１１０と第２導電体１２０との間の電気的な接続を行なう機能はない。このため、方形のスルーホール１５０の任意の位置に対してケーブルの端子を接続すれば、シート１００との間で電磁波を送波し又は受波させることができる。
【００３７】
図２は、本実施形態に係る通信装置の斜視図である。
【００３８】
本通信装置は、前記シート１００の長さ方向の一端部に収容ボックス２００が設けられている。
【００３９】
この収容ボックス２００は、図２〜図６に示すように、高さが低い平坦なボックス状に形成されており、内部にインターフェース装置３００や信号読取装置４００などの各種装置を収容するものである。
【００４０】
具体的には、図７に示すように、底部に配設されるベース部材２１０と、ベース部材２１０の上方を覆う態様で配設される第１カバー部材２２０とを備える。また、図８に示すように、該第１カバー部材２２０の上方に平行に配設される固定部材２３０と、該固定部材２３０を覆う態様で配設される第２カバー部材２４０とを備える。すなわち、下から順に、ベース部材２１０、第１カバー部材２２０、固定部材２３０、第２カバー部材２４０が上下に層状に配設された構造となされている。なお、図８は、説明の便宜上、固定部材２３０と第２カバー部材２４０を上下逆に図示しているが、実際には固定部材２３０の上側に第２カバー部材２４０が配設される。
【００４１】
前記ベース部材２１０は、長さ（前記シート１００の長さ方向：図３の左右方向）が１３０ｍｍ、幅（該長さ方向に垂直な方向：図３の上下方向）が１１０ｍｍの合成樹脂製の薄板から構成される。
【００４２】
このベース部材２１０の前端部には矩形状の固定台部２１１が形成されている。これにより後述するように第１カバー部材２２０とベース部材２１０とでシート１００を挟み保持する際に、シート１００の端部下面が固定台部２１１により上方に押し上げられるため、挟み保持して固定する力を増すようになっている。
【００４３】
また、このベース部材２１０の中央部にはインターフェース装置３００の基端部の形状に型取られた固定凹部２１２が形成されている。これによりインターフェース装置３００の基端部が該固定凹部２１２に嵌め込まれて固定されようになっている。しかも、インターフェース装置３００および固定凹部２１２は平面視Ｔ字状に形成されることにより、固定凹部２１２に嵌め込まれたインターフェース装置３００が抜けることを防止している。
【００４４】
また、固定台部２１１と固定凹部２１２を上述の位置および形状に形成することにより、インターフェース装置３００にシート１００を接続する際、シート１００の中央部にインターフェース装置３００を設置することができるとともに、ベース部材２１０の中央部にシート１００を設置することができるようになっている。
【００４５】
また、（２１３）は、ベース部材２１０の上面に形成された４個の螺子穴、（２１４）はベース部材２１０の後端部に形成されて２個の引掛凹部である。
【００４６】
前記第１カバー部材２２０は、長さが９５ｍｍ、幅が１１０ｍｍ、高さ２９ｍｍの合成樹脂製の下面開口の中空状のカバー部材である。
【００４７】
この第１カバー部材２２０の前端部には、シート１００の厚み程度の高さを残して円弧状のリブ部２２１が設けられている。これにより第１カバー部材２２０とベース部材２１０とでシート１００を挟み保持する際に、第１カバー部材２２０のリブ部２２１とベース部材２１０の固定台部２１１との間において、シート１００を接着剤などを利用せずに適度な力で圧着接合で固定している。なお、本実施形態では平面視Ｔ字状の第１クッション材２５０と円形の第２クッション材２６０をリブ部２２１とシート１００の間に挟み込むように配置し、シート１００を挟み保持して固定する力を微妙に調整している。
【００４８】
なお、（２２２）は、前記ベース部材２１０の螺子穴２１３に対応する位置に形成された螺子孔である。（２２３）は後述のインターフェース装置３００の端子（３４０）を突出せしめて、ケーブル材６００の一端部の端子（６１０）と接続させるための端子孔である。（２２４）はベース部２１０の両側後端部に形成されて引掛凹部である。
【００４９】
而して、インターフェース装置３００にシート１００を挟み保持した状態にて、インターフェース装置３００を固定凹部２１２に嵌め込み固定するとともに、シート１００を固定台部２１１の上面に載置する。そして、第１カバー部材２２０とベース部材２１０とを後端部や両側部が一致するように重ね合わせると、シート１００がベース部材２１０の固定台部２１１と第１カバー部材２２０のリブ部２２１との間に挟まれて保持される。そして、第１カバー部材２２０の螺子孔２２２を介して各螺子２２５をベース部材２１０の螺子穴２１３に締結すれば、ベース部材２１０と第１カバー部材２２０がシート１００の端部を挟み保持して固定することができる。
【００５０】
前記固定部材２３０は、図８に示すように、合成樹脂製の矩形状の薄板から構成される。この固定部材２３０の下面には信号読取装置４００が螺子２３１およびナット２３５により固定される。
【００５１】
この信号読取装置４００は、インターフェース装置３００からケーブル６００を介して送られてきた信号を読み取るものである。なお、信号読取装置４００は、インターフェース装置３００から送られてきた信号を読み取るだけでなく、逆に他の装置（例えばパソコン）からＵＳＢ端子５００を介して送られてきた信号に基づいてインタフェース装置３００に信号を送信してもよい。インターフェース装置３００に送られた信号は電磁波を介してシート１００中を伝達し、シート１００上に置かれた他の装置の情報を書き換えるなどする。
【００５２】
また、信号読取装置４００の隣にはＵＳＢ端子５００が固着され、信号読取装置４００とＵＳＢ端子５００が電気的に接続されている。このＵＳＢ端子５００は、第２カバー部材２４０のＵＳＢ端子用窓２４３により外面に露出状態に設けられている。信号読取装置４００により読み取られた信号は、このＵＳＢ端子５００を介して、該ＵＳＢ端子５００に接続された他の装置（例えばパソコン）に送られる。
【００５３】
なお、（２３２）は、固定部材２３０の両側後端部と前端部中央に形成された螺子孔、（２３３）はケーブル６００を上方に突出させるための突出孔、（２３４）は電源ＬＥＤ等である。
【００５４】
前記第２カバー部材２４０は、合成樹脂製の下面開口の中空状のカバー部材である。この第２カバー部材２４０は固定部材２３０よりも大きく形成されており、固定部材２３０全体を覆うようになっている。
【００５５】
なお、（２４１）は第２カバー部材２４０の裏側に設けられた３個の螺子穴、（２４２）はカバー部材の両側後端部に設けられた引掛片、（２４３）は第２カバー部材の後端部中央に穿設されたＵＳＢ端子用窓である。
【００５６】
而して、信号読取装置４００およびＵＳＢ端子５００などを第２カバー部材２４０とは反対の下側（図８では上側）に配置した状態にて、第２カバー部材２４０内に固定部材２３０を収容して、固定部材２３０の螺子孔２３２を介して各螺子２３６を第２カバー部材２４０の螺子穴２４１に締結すれば、固定部材２３０を第２カバー部材２４０に固定することができる。
【００５７】
そして、この固定部材２３０が固定された第２カバー部材２４０を前記第１カバー部材２２０の上方に配設し、第１カバー部材２２０と第２カバー部材２４０の両側部と後端部を一致するようにして、第２カバー部材２４０の引掛片２４２を第１カバー部材２２０およびベース部材２１０の引掛凹部２１４、２２４に引っ掛ければ、第２カバー部材２４０を第１カバー部材２２０およびベース部材２１０に固定することができる。このようにしてベース部材２１０、第１カバー部材２２０、固定部材２３０、第２カバー部材２４０をシート１００の端部において上下の層状に一体的に設けることができる。
【００５８】
図９は、前記インターフェース装置３００の典型的構造を示す模式図である。
【００５９】
このインターフェース装置３００は、シート１００の第１導電体１１０と第２導電体１２０とを挟み込むように、シート１００の端部に取り付けられる。
【００６０】
また、インターフェース装置３００は、第１導電体１１０と対向して配置される第１電極部３１０と、第２導電体１２０と対向して配置される第２電極部３２０とを備える。典型的には、インターフェース装置３００とシート１００とは、容量結合により電磁波を送受する。また、インターフェース装置３００は、第１電極部３１０と第２電極部３２０とでシート１００を挟み込むように、第１電極部３１０と第２電極部３２０とを固定する係止部３３０とを備える。
【００６１】
この係止部３３０は、第１電極部３１０と第２電極部３２０とをシート１００のの厚み程度の間隔で、シート１００の取り付け時に一時的に固定できるものであればよい。また、第１電極部３１０または第２電極部３２０とシート１００の間は必ずしも当接している必要はなく、近接するものであったり、その他の部材が介在するものであってもよい。
【００６２】
また、係止部３３０の基端部の上面には金属製の端子３４０が形成されている。この端子には、ケーブル６００の一端部に形成された金属製の端子６１０に嵌合接続される。このケーブル６００は、図７に示すように、Ｕ字状に形成されており、上述のように一端部の金属製の端子６１０はインターフェース装置３００の端子３４０に接続されるとともに、他端部は信号読取装置４００に接続される。
【００６３】
また、ケーブル６００の配設に際しては、第１カバー部材２２０と固定部材２３０の間において略水平に並設され、一部を固定部材２３０の突出孔２３３から突出した状態になっている。このようなケーブル６００の構造により、下側に位置するインターフェース装置３００と、上側に位置する信号読取装置４００とをコンパクトに電気的に接続することができる。
【００６４】
図１０は、他の実施形態に係る通信装置の斜視図である。
【００６５】
本通信装置は、電磁波伝達シート１００の両側端部にインターフェース装置３００および信号読取装置４００が収容された収容ボックス２００が一体的に設けられている。これらシート１００、収容ボックス２００、インターフェース装置３００および信号読取装置４００等は図１〜図９に示すものと同一なので同一の符号を付してその説明を省略する。これによれば通信装置の両側に他の装置を接続したり、あるいは複数の本通信装置をＵＳＢケーブル等を介して直列的に接続することができる。
【００６６】
なお、本実施形態では、収容ボックスを上下に層状の構造としたが、これに限定されるものではなく、インターフェース装置や信号読取装置を収容するものであれば、どのような構造であってもよい。
【００６７】
また、インターフェース装置と信号装置はケーブルにより電気的に接続するものとしたが、ケーブルを介さずに一体的に設けるものであってもよい。
【００６８】
また、インターフェース装置はシートを挟み保持する構造としたが、挟み保持せずに単に接するなどしたり、何らかの接続であってもよい。
【００６９】
また、ベース部材と第１カバー部材によりシート１００を挟み保持する構造としたが、収容ボックスをシートに一体的に取り付けるのであればどのような方法で取り付けてもよい。
【符号の説明】
【００７０】
１００・・・シート
２００・・・収容ボックス
２１０・・・ベース部材
２２０・・・第１カバー部材
２３０・・・固定部材
２４０・・・第２カバー部材
３００・・・インターフェース装置
３１０・・・第１電極部
３２０・・・第２電極部
３３０・・・係止部
４００・・・信号読取装置
５００・・・ＵＳＢ端子
６００・・・ケーブル
【図１】
0005410910.tif 000002
【図２】
0005410910.tif 000003
【図３】
0005410910.tif 000004
【図４】
0005410910.tif 000005
【図５】
0005410910.tif 000006
【図６】
0005410910.tif 000007
【図７】
0005410910.tif 000008
【図８】
0005410910.tif 000009
【図９】
0005410910.tif 000010
【図１０】
0005410910.tif 000011